(57)【要約】【課題】座板の高さを自在に調節することができ、椅子の完成状態と折り畳んだ状態を簡単に構成できると共に、折り畳んでも自立でき、また作業にも適した姿勢を確保できる折畳み椅子の提供を課題とする。【解決手段】共通の枢軸１０を中心に水平方向に開閉自在な１対の脚部枠体２０、３０と、共通の枢軸１０に対して取り付けられ、水平方向姿勢と垂直方向姿勢とに姿勢変更が自在とされた座板４０とを有し、１対の脚部枠体２０、３０のそれぞれには座板受け部２１、３１を設け、使用時には１対の脚部枠体２０、３０を開いた状態とすると共に座板４０を水平姿勢に姿勢変更して座板受け部２１、３１に着座させるようにし、不使用時には座板４０を座板受け部２１、３１から外して垂直姿勢に姿勢変更すると共に１対の脚部枠体２０、３０を閉じて座板４０を挟み込むように構成した折畳み椅子１である。【選択図】      図１
0003134314.tif 000002
【実用新案登録請求の範囲】
【請求項１】
共通の枢軸を中心に水平方向に開閉自在な１対の脚部枠体と、前記共通の枢軸に対して取り付けられ、水平方向姿勢と垂直方向姿勢とに姿勢変更が自在とされた座板とを有し、前記１対の脚部枠体のそれぞれには前記座板を着座状態に受けるための座板受け部を設け、使用時には前記１対の脚部枠体を開いた状態とすると共に前記座板を水平姿勢に姿勢変更して前記脚部枠体の座板受け部に着座させるようにし、不使用時には前記座板を前記座板受け部から外して垂直姿勢に姿勢変更すると共に前記１対の脚部枠体を閉じて前記座板を挟み込むように構成されていることを特徴とする折畳み椅子。
【請求項２】
１対の脚部枠体には、前端に垂下する前脚と基端の後脚とが設けられ、後脚の下部は前記１対の脚部枠体の面に対して外側へ直角に曲げ出した曲成接地部としてあることを特徴とする請求項１に記載の折畳み椅子。
【請求項３】
座板の高さを調節する高さ調節手段が設けられていることを特徴とする請求項１又は２に記載の折畳み椅子。
【請求項４】
座板は、着座状態において、その前部が前方に向けてやや下り傾斜するように構成されていることを特徴とする請求項１〜３の何れかに記載の折畳み椅子。
【考案の詳細な説明】
【技術分野】
【０００１】
本考案は折り畳みができる折畳み椅子に関する。
【背景技術】
【０００２】
従来、折り畳みができる椅子としては、金属パイプを組み合わせたパイプ椅子等がある。これらのパイプ椅子の中には、座板の高さを調節できるものがあるが、折り畳んだ状態で自立するような椅子はなかった。
一方、特開平８−１２６５４５号公報等には、逆Ｕ字状の本体と折り畳み可能な補助脚で形成され、その本体枠内に複数の横杆を設け、横杆にフックを設けた座板を掛着して高さ調節ができるよう構成された高さ調節式折り畳み椅子が提供されている。
【特許文献１】特開平８−１２６５４５号公報
【考案の開示】
【考案が解決しようとする課題】
【０００３】
上記特許文献１に示す高さ調節式折り畳み椅子は、高さ調節が座板の取り外しで自在に調整できて便利に座れるものであるが、椅子を使用しない時に折り畳んでも自立しないため、壁や物との隙間に立て掛けて置く様になり、立て掛けが不安定で、椅子が倒れて人に当たって怪我をしたり、周りの物を壊すなどの問題があった。
【０００４】
そこで本考案は上記従来技術の問題を解決し、座板の高さを自在に調節することができ、椅子の完成状態と折り畳んだ状態を簡単に構成できると共に、折り畳んでも自立でき、また作業にも適した姿勢を確保できる折畳み椅子の提供を課題とする。
【課題を解決するための手段】
【０００５】
上記課題を達成するための本考案の折畳み椅子は、共通の枢軸を中心に水平方向に開閉自在な１対の脚部枠体と、前記共通の枢軸に対して取り付けられ、水平方向姿勢と垂直方向姿勢とに姿勢変更が自在とされた座板とを有し、前記１対の脚部枠体のそれぞれには、前記座板を着座状態に受けるための座板受け部を設け、使用時には前記１対の脚部枠体を開いた状態とすると共に前記座板を水平姿勢に姿勢変更して前記脚部枠体の座板受け部に着座させるようにし、不使用時には前記座板を前記座板受け部から外して垂直姿勢に姿勢変更すると共に前記１対の脚部枠体を閉じて前記座板を挟み込むように構成されていることを第１の特徴としている。
また本考案の折畳み椅子は、上記第１の特徴に加えて、１対の脚部枠体には、前端に垂下する前脚と基端の後脚とが設けられ、後脚の下部は前記１対の脚部枠体の面に対して外側へ直角に曲げ出した曲成接地部としてあることを第２の特徴としている。
また本考案の折畳み椅子は、上記第１又は第２の特徴に加えて、座板の高さを調節する高さ調節手段が設けられていることを第３の特徴としている。
また本考案の折畳み椅子は、上記第１〜第３の何れかの特徴に加えて、座板は、着座状態において、その前部が前方に向けてやや下り傾斜するように構成されていることを第４の特徴としている。
【考案の効果】
【０００６】
請求項１に記載の折畳み椅子によれば、共通の枢軸を中心に水平方向に開閉自在な１対の脚部枠体と、前記共通の枢軸に対して取り付けられ、水平方向姿勢と垂直方向姿勢とに姿勢変更が自在とされた座板とを有し、前記１対の脚部枠体のそれぞれには、前記座板を着座状態に受けるための座板受け部を設け、使用時には前記１対の脚部枠体を開いた状態とすると共に前記座板を水平姿勢に姿勢変更して前記脚部枠体の座板受け部に着座させるようにし、不使用時には前記座板を前記座板受け部から外して垂直姿勢に姿勢変更すると共に前記１対の脚部枠体を閉じて前記座板を挟み込むように構成されているので、
前記共通の枢軸によって連結した前記１対の脚部枠体を水平方向に開くことができ、該１対の脚部枠体を開いた状態で共通の枢軸に取り付けられた前記座板を回動させ、該座板を水平方向姿勢で前記脚部枠体の前記座板受け部に着座させることで、簡単に椅子を完成させることができる。そして人が腰を掛けても安定した椅子になる。
また折畳み椅子の使用を終了する場合には、前記座板を前記座板受け部から外して垂直方向に回動させると、前記１対の脚部枠体を折り畳むことができ、これによって全体が幅の細い形状になり、家具間の細い隙間等にも挿入できるので、室内で置き場所に困ることなくコンパクトに収納できるようになる。
【０００７】
請求項２に記載の折畳み椅子によれば、請求項１に記載の構成による作用効果に加えて、１対の脚部枠体には、前端に垂下する前脚と基端の後脚とが設けられ、後脚の下部は前記１対の脚部枠体の面に対して外側へ直角に曲げ出した曲成接地部を設けているので、
折畳み椅子を折り畳んだ状態でも、安定して自立させることができる。
よって折り畳んだ状態で、壁等に立て掛ける必要がなく、どこにでも、又どの向きにも自立させて置いておくことができる。
【０００８】
請求項３に記載の折畳み椅子によれば、請求項１又は２に記載の構成による作用効果に加えて、座板の高さを調節する高さ調節手段が設けられているので、
作業時や休憩時等の用途に合わせて、或いは座る人の体型や状況に応じて、座る高さを自由に決めることができ、最適な着座位置で安定して座ることができる。
【０００９】
請求項４に記載の折畳み椅子によれば、請求項１〜３の何れかに記載の構成による作用効果に加えて、座板は、着座状態において、その前部が前方に向けてやや下り傾斜するように構成されているので、
椅子に腰掛けた際に、やや前かがみ、いわゆる中腰状態となり、台所等で今まで立ち仕事であった作業する場合に最適な姿勢で座ることができ、体への負担を軽減させることができる。
【考案を実施するための最良の形態】
【００１０】
以下の図面を参照して、本考案の実施形態を詳細に説明する。
図１は本考案の実施形態に係る折畳み椅子の斜視図、図２は本考案の折畳み椅子を折り畳んだ状態での背面図、図３は座板受け部に座板が着座された状態を示す側面図、図４は座板の底面図、図５は本考案の実施形態に係る折畳み椅子を折り畳んで自立した状態を示す斜視図である。
【００１１】
先ず図１を参照して、本考案の折畳み椅子１は、破線で示す共通の枢軸１０と、１対の脚部枠体２０、３０と、座板４０とで構成される。
【００１２】
図２も参照して、前記共通の枢軸１０は金属製の円筒であって、前記１対の脚部枠体２０、３０の複数の連結円筒２５、３５が嵌挿され、それらの回転軸となる。
また共通の枢軸１０は、前記座板４０を掛着する嵌合円筒４３が嵌挿され、その回転軸ともなる。
【００１３】
前記１対の脚部枠体２０、３０は、それぞれ金属パイプによって縦長の長方形の枠体として形成されており、その上部の枠体内に水平方向に、座板受け部２１、３１がそれぞれ２対（本実施形態の場合）設けられている。
また１対の脚部枠体２０、３０の下部に設けられた水平方向の金属パイプは、脚部支持部２２、３２とされている。
【００１４】
１対の脚部枠体２０、３０は、それぞれ片方の側枠部に金属製の連結円筒２５、３５を複数設けている。該連結円筒２５、３５は、枢軸１０に対して交互に位置するように取り付けられ、枢軸１０に挿嵌されている。
これによって１対の脚部枠体２０、３０は、枢軸１０を中心に、水平方向に開閉自在に連結される。
なお連結円筒２５、３５のうち、最上部と最下部にあるものには、埃等の侵入や傷が付いたりするのを防止するために円筒キャップ２６、３６を取り付けている。
【００１５】
また１対の脚部枠体２０、３０は、前記座板受け部２１、３１に嵌着した前記座板４０を取り外し易い様に、９５度の角度まで開脚することができるように構成されている。
【００１６】
１対の脚部枠体２０、３０には、前端に垂下する前脚２３、３３と、基端の後脚２４、３４とが設けられる。
そして前記後脚２４、３４の下部には、前記１対の脚部枠体２０、３０の面に対して外側へ直角に曲げ出した曲成接地部２４ａ、３４ａを設けている。
これによって１対の脚部枠体２０、３０は、折り畳んだ状態で曲成接地部２４ａ、３４ａが水平方向に接地して床との接点が増すことで、安定して支持され、自立するようになる。
また曲成接地部２４ａ、３４ａの先端には、滑ったり、床等に傷が付かないようにゴムキャップ２４ｂ、３４ｂが取り付けられている。
【００１７】
前記のような構成により、共通の枢軸１０により１対の脚部枠体２０、３０を開脚及び閉脚自在とし、更に後脚２４、３４の下部を直角に曲げ出して形成した曲成接地部２４ａ、３４ａを設けたことによって、収納時に前記１対の脚部枠体２０、３０を折り畳んでも、折畳み椅子１がぐらついたり倒れたりすることがなく、安定した自立が得られる。
【００１８】
前記座板受け部２１、３１は、金属パイプを前記１対の脚部枠体２０、３０の上方枠内に水平方向に取り付けて構成している。
そして前記座板４０の裏面に設けた座板嵌着枠板４６を、前記座板受け部２１、３１に嵌着できるようにしている。
【００１９】
図３、図４を参照して、座板４０は、金属板と金属パイプによって略三角形の平面形状に構成されている。
座板４０は、その前端４０ａより少し手前の位置を着座曲折部４７とし、該着座曲折部４７から前方に向けて、その前部を少し下り傾斜させて形成している。前方に少し傾斜していることにより、椅子に腰掛けた場合に中腰姿勢となり、台所等での作業がし易くなる。
また座板４０は、その表面に、例えばＥＶＡ樹脂等の弾性材４５を用いて、凹凸の滑り止め加工を施している。これによって前方に傾斜した中腰姿勢で着座しても、座板４０から滑り落ち難い構成となされている。
【００２０】
座板４０は裏面の後端４０ｂ付近にネジ取付管４１を設け、裏面の両斜辺部４０ｃ、４０ｃには、それぞれ座板嵌着枠板４６を設けている。
前記ネジ取付管４１には折曲げネジ４２を取り付けるようにしている。
前記座板嵌着枠板４６は、金属板を逆凹状に形成し、座板４０の裏面で斜辺部４０ｃの両側の金属パイプにそれぞれ取り付けて構成している。
【００２１】
座板４０は嵌合円筒４３によって、前記連結円筒２５、３５の間に、枢軸１０に挿嵌され、左右方向に回動自在に取り付けられる。
嵌合円筒４３は金属製の円筒であって、本実施形態では、表面に２個の掛着管４３ａが取り付けられている。
この嵌合円筒４３の何れかの掛着管４３ａに、前記ネジ取付管４１に取り付けられた折曲げネジ４２を挿入して掛着するように構成される。
そして、前記折曲げネジ４２の両端をボルト４４で螺着して外れないよう固定している。
【００２２】
高さ調節手段５０は、前記嵌合円筒４３の２つの掛着管４３ａ、４３ａと前記２対の座板受け部２１、２１、３１、３１とで構成される。
即ち、前記嵌合円筒４３の何れかの掛着管４３ａを選んで、座板４０の折曲げネジ４２を差し込むことで、座板４０の高さが決まる。
そして座板４０を水平状態として、その際に対応する何れかの座板受け部２１、３１に着座させることで、調節された高さ位置に座板４０が水平にセットされる。
なお本実施形態では、掛着管４３ａを２個、それに対応する座板受け部２１、３１を２対として２段の高さ調節ができるように構成したが、これに限定されるものではない。掛着管４３ａを３個、座板受け部２１、３１を３対設けて、３段調節できるように、用途や体型に合わせて複数の高さ調節ができるように構成することができる。
【００２３】
上記のような構成により、前記座板４０は、共通の枢軸１０に支持された前記嵌合円筒４３の掛着管４３ａに回動自在に取り付けられ、前記座板４０を水平方向に回動して、裏面の両斜辺部４０ｃに設けられた前記座板嵌着枠板４６を前記座板受け部２１、３１にそれぞれ着座させることで、前記座板４０が前記１対の脚部枠体２０、３０に水平に載置される。前記座板４０の表面には凹凸の滑り止め表面加工を施した弾性材４５が貼着されているので、前滑りすることなく、座り心地も良く安定して座ることができる。
【００２４】
図５も参照して、本折畳み椅子１の使用後は、前記座板４０を持ち上げて前記座板嵌着枠板４６を前記座板受け部２１、３１からそれぞれ外し、前記座板４０を回動させて垂直方向に姿勢を変える。そして前記１対の脚部枠体２０、３０を回動させて、前記座板４０くを挟み込むように折り畳むことで、簡単に収納状態にすることができる。
また折り畳んだ状態でも、前脚２３、３３と後脚２４、３４とで自立することができる。
【図面の簡単な説明】
【００２５】
【図１】本考案の実施形態に係る折畳み椅子の斜視図である。
【図２】本考案の実施形態に係る折畳み椅子を折り畳んだ状態での背面図である。
【図３】座板受け部に座板が着座された状態を示す側面図である。
【図４】座板の底面図である。
【図５】本考案の実施形態に係る折畳み椅子を折り畳んで自立した状態を示す斜視図である。
【符号の説明】
【００２６】
１      折畳み椅子
１０    共通の枢軸
２０    脚部枠体
２１    座板受け部
２２    脚部支持部
２３    前脚
２４    後脚
２４ａ  曲成接地部
２４ｂ  ゴムキャップ
２５    連結円筒
２６    円筒キャップ
３０    脚部枠体
３１    座板受け部
３２    脚部支持部
３３    前脚
３４    後脚
３４ａ  曲成接地部
３４ｂ  ゴムキャップ
３５    連結円筒
３６    円筒キャップ
４０    座板
４０ａ  前端
４０ｂ  後端
４０ｃ  斜辺部
４１    ネジ取付管
４２    折曲げネジ
４３    嵌合円筒
４３ａ  掛着管
４４    ボルト
４５    弾性材
４６    座板嵌着枠板
４７    着座曲折部
５０    高さ調節手段
【図１】
0003134314.tif 000003
【図２】
0003134314.tif 000004
【図３】
0003134314.tif 000005
【図４】
0003134314.tif 000006
【図５】
0003134314.tif 000007